(57)【要約】【課題】コモンモードノイズ低減効果を劣化させることなく、フィルタ回路を差動伝送路に容易に構築することができるフィルタ部品を提供する。【解決手段】フィルタ部品１は、変成器２とＤＣカット回路３とを備える。ＤＣカット回路３は、１対の２端子コンデンサ３−１，３−２を変成器２の鍔部４１に形成された凹部４１Ａ内に嵌め込むことで構成される。２端子コンデンサ３−１，３−２は、両端の外部電極３１，３１が外部電極５−１，５−２に接続されている。これにより、２端子コンデンサ３−１における内部電極３３，３３が外部電極３１，３１を通じて外部電極５−１，５−２に電気的に接続され、外部電極３２，３２に接続された内部電極３４，３４が、凹部４１Ａの中央に位置する。【選択図】図３
2011049622.tif 000002
【特許請求の範囲】
【請求項１】
巻芯部及びこの巻芯部の両端部にそれぞれ設けられた１対の鍔部を有する磁性コアと、上記各鍔部の下端部両側にそれぞれ形成された１対の外部電極とを備え、１対の巻線が、上記磁性コアの巻芯部に互いに逆向きになるように巻回され且つ両端部が上記外部電極にそれぞれ接合されて、コモンモードインピーダンスが低く且つディファレンシャルモードインピーダンスが高くなるように設定された変成器に、ＤＣカット回路を設けたフィルタ部品であって、
上記ＤＣカット回路は、変成器の一方の鍔部の下端部に形成された一方の外部電極に一方端が接続された第１の電極板と、当該下端部の他方の外部電極に一方端が接続された第２の電極板と、当該下端部の中央に設けられ且つ当該第１及び第２の電極板に対向したグランド電極板とを具備する、
ことを特徴とするフィルタ部品。
【請求項２】
請求項１に記載のフィルタ部品において、
凹部を上記変成器の上記鍔部の下端部中央に形成して、１対のチップ型の２端子コンデンサを、一方の外部電極を向かい合わせた状態で当該凹部に嵌め込み、各２端子コンデンサの他方の外部電極を、上記鍔部の下端部両側にそれぞれ形成された上記１対の外部電極の一方に接続することにより、
各２端子コンデンサにおける上記他方の外部電極に接続された内部電極を、上記ＤＣカット回路の上記第１又は第２の電極板のいずれかとし、当該各２端子コンデンサにおける上記一方の外部電極に接続された内部電極を、上記ＤＣカット回路の上記グランド電極板とする、
ことを特徴とするフィルタ部品。
【請求項３】
請求項１に記載のフィルタ部品において、
上記第１及び第２の電極板を、絶縁体ブロックの内部に対向するように配して、これら第１及び第２の電極板の一方端を当該絶縁体ブロックの両端部に設けられた１対の外部電極にそれぞれ接続し、上記グランド電極板を対向する第１及び第２の電極板の間に介在させると共に第１及び第２の電極板の長さ方向と垂直な方向の両端を絶縁体ブロックの対向面中央にそれぞれ設けられた１対の外部電極にそれぞれ接続し、
当該絶縁体ブロックを、上記変成器の鍔部における下端部中央に形成した凹部に嵌め込んで、上記絶縁体ブロックの両端部の外部電極を、上記鍔部の下端部両端の外部電極にそれぞれ接続することにより、上記ＤＣカット回路を構成した、
ことを特徴とするフィルタ部品。
【発明の詳細な説明】
【技術分野】
【０００１】
この発明は、差動信号に影響を与えることなく、差動伝送路上のコモンモードノイズをグランドに逃がすフィルタ回路に適用するフィルタ部品に関するものである。
【背景技術】
【０００２】
差動信号に影響を与えることなく、差動伝送路上のコモンモードノイズをグランドに逃がすフィルタ回路としては、例えば、特許文献１に開示の回路がある。
図２８に示すように、このフィルタ回路１００は、巻線１１１，１１２で成る変成器１１０を差動伝送路１０１，１０２とグランドパターン１２０との間に挿入し、コンデンサ１２１，１２２を変成器１１０の各巻線１１１，１１２とグランドパターン１２０との間に接続した構成になっている。これにより、変成器１１０がコモンモードノイズに対して低インピーダンスとなり、差動信号に対しては高インピーダンスとなって、差動信号には損失を与えることなく、コモンモードノイズのみをグランドに逃がして、コモンモードノイズを低減させる。そして、コンデンサ１２１，１２２によって、差動信号のＤＣ成分のグランドパターン１２０側への流出を防止するようになっている。
このようなフィルタ回路は、図２９に示すように、変成器１１０として、例えば特許文献２に開示の変成器を使用し、コンデンサ１２１，１２２として、周知のチップ型２端子コンデンサ１２１，１２２を使用することで、構築することができる。
具体的には、パターン１０３，１０４を差動伝送路１０１，１０２から引き出すと共に、ライン状のパターン１０５，１０６をグランドパターン１２０とパターン１０３，１０４との間に形成する。そして、変成器１１０の一方の鍔部１１４の外部電極１１４ａ，１１４ａをパターン１０３，１０４に接続すると共に、他方の鍔部１１３の外部電極１１３ａ，１１３ａをパターン１０５，１０６に接続し、チップ型の２端子コンデンサ１２１，１２２をパターン１０５，１０６とグランドパターン１２０との間に接続する。
【先行技術文献】
【特許文献】
【０００３】
【特許文献１】特開平１１−６８４９７号公報
【特許文献２】特開２００３−１６８６１１号公報
【発明の概要】
【発明が解決しようとする課題】
【０００４】
しかし、図２８に示すフィルタ回路を上記したように構築する場合には、変成器１１０と２端子コンデンサ１２１，１２２とを繋ぐライン状のパターン１０５，１０６を形成する必要があるので、変成器１１０と２端子コンデンサ１２１，１２２との間にパターン１０５，１０６による不要なインダクタンスが発生する。このため、フィルタ回路のコモンモードインピーダンスが所望値よりも高くなり、コモンモードノイズ低減効果が劣化するおそれがある。
【０００５】
この発明は、上述した課題を解決するためになされたもので、コモンモードノイズ低減効果を劣化させることなく、フィルタ回路を差動伝送路に容易に構築することができるフィルタ部品を提供することを目的とする。
【課題を解決するための手段】
【０００６】
上記課題を解決するために、請求項１の発明は、巻芯部及びこの巻芯部の両端部にそれぞれ設けられた１対の鍔部を有する磁性コアと、各鍔部の下端部両側にそれぞれ形成された１対の外部電極とを備え、１対の巻線が、磁性コアの巻芯部に互いに逆向きになるように巻回され且つ両端部が外部電極にそれぞれ接合されて、コモンモードインピーダンスが低く且つディファレンシャルモードインピーダンスが高くなるように設定された変成器に、ＤＣカット回路を設けたフィルタ部品であって、ＤＣカット回路は、変成器の一方の鍔部の下端部に形成された一方の外部電極に一方端が接続された第１の電極板と、当該下端部の他方の外部電極に一方端が接続された第２の電極板と、当該下端部の中央に設けられ且つ当該第１及び第２の電極板に対向したグランド電極板とを具備する構成とした。
かかる構成により、変成器の一方の鍔部が、差動伝送路に接触しないように、変成器を、基板上に設けられた１対の差動伝送路の間の空間に配し、他方の鍔部の下端部両側の１対の外部電極を、１対の差動伝送路から引き出されたパターンに接続させることができる。そして、一方の鍔部側に設けたＤＣカット回路を、差動伝送路間の空間に設けられたグランドパターンの上に位置させ、グランド電極板を当該グランドパターンに接続して接地することができる。
かかる状態で、差動信号を差動伝送路に流し、ディファレンシャルモードにすると、差動信号が、差動伝送路から引き出されたパターンを伝わって変成器に流入する。しかし、この変成器は、１対の巻線が、磁性コアの巻芯部に互いに逆向きになるように巻回され、ディファレンシャルモードインピーダンスが高くなるように設定されているので、差動信号は、変成器を通じてグランドパターン側に流出することはない。また、コモンモードノイズが差動伝送路に流れ、コモンモードになると、変成器のコモンモードインピーダンスが低くなるように設定されているので、コモンモードノイズは、変成器内に流入し、ＤＣカット回路を通じて、グランドパターン側に排出される。
そして、ＤＣカット回路の第１の電極板とグランド電極板とが、変成器の一方の巻線と基板上のグランドパターンとの間に接続された２端子コンデンサとして機能し、第２の電極板とグランド電極板とが、変成器の他方の巻線と基板上のグランドパターンとの間に接続された２端子コンデンサとして機能する。このため、差動信号のＤＣ成分等の直流電流が、差動伝送路からのパターンを伝わって変成器に流入しても、このＤＣカット回路によって阻止され、グランドパターン側に流出することはない。
ところで、フィルタ部品が、コモンモードノイズを除去することができるのは、コモンモード時において、インピーダンスが低くなるからである。したがって、図２９に示したように、余分なパターンが基板上に形成されていると、変成器とコンデンサとの間のインピーダンスがコモンモード時に高くなり、コモンモードノイズ低減効果が著しく劣化する。しかしながら、この発明のフィルタ部品では、ＤＣカット回路の第１及び第２の電極板を変成器に直接接続しており、また、グランド電極板を基板上のグランドパターンに直接接続することができるので、変成器と基板上のグランドパターンとの間に余分なパターンを形成する必要がない。
このため、変成器と基板上のグランドパターンとの間のコモンモードインピーダンスが低くなり、大きなコモンモードノイズ低減効果を発揮する。また、余分なパターンがないので、差動伝送路自体の特性インピーダンスを乱すことがなく、所望の特性インピーダンスを維持することができる。
【０００７】
請求項２の発明は、請求項１に記載のフィルタ部品において、凹部を変成器の鍔部の下端部中央に形成して、１対のチップ型の２端子コンデンサを、一方の外部電極を向かい合わせた状態で当該凹部に嵌め込み、各２端子コンデンサの他方の外部電極を、鍔部の下端部両側にそれぞれ形成された１対の外部電極の一方に接続することにより、各２端子コンデンサにおける他方の外部電極に接続された内部電極を、ＤＣカット回路の第１又は第２の電極板のいずれかとし、当該各２端子コンデンサにおける一方の外部電極に接続された内部電極を、ＤＣカット回路のグランド電極板とする構成とした。
かかる構成により、変成器を、基板上に設けられた１対の差動伝送路の間の空間に配し、他方の鍔部の下端部両側の１対の外部電極を、１対の差動伝送路から引き出されたパターンに接続させると共に、一方の鍔部側に設けたＤＣカット回路を、差動伝送路間の空間に設けられたグランドパターンの上に位置させることができる。
このとき、ＤＣカット回路が、変成器の鍔部の下端部中央の凹部に嵌め込まれた１対のチップ型の２端子コンデンサで構成されているので、これら１対の２端子コンデンサの外部電極のうち、向かい合う１対の外部電極の部分のみを、グランドパターンに接触させることができる。この状態で、これらの外部電極をグランドパターンに接続することで、これらの外部電極にそれぞれ接続された１対の内部電極で成る１対のグランド電極板をグランドパターンに接地することができる。
【０００８】
請求項３の発明は、請求項１に記載のフィルタ部品において、第１及び第２の電極板を、絶縁体ブロックの内部に対向するように配して、これら第１及び第２の電極板の一方端を当該絶縁体ブロックの両端部に設けられた１対の外部電極にそれぞれ接続し、グランド電極板を対向する第１及び第２の電極板の間に介在させると共に第１及び第２の電極板の長さ方向と垂直な方向の両端を絶縁体ブロックの対向面中央にそれぞれ設けられた１対の外部電極にそれぞれ接続し、当該絶縁体ブロックを、変成器の鍔部における下端部中央に形成した凹部に嵌め込んで、絶縁体ブロックの両端部の外部電極を、鍔部の下端部両端の外部電極にそれぞれ接続することにより、ＤＣカット回路を構成した。
かかる構成により、変成器を、１対の差動伝送路間の空間に配し、他方の鍔部の下端部両側の１対の外部電極を、差動伝送路から引き出されたパターンに接続させると共に、一方の鍔部側のＤＣカット回路を、差動伝送路間の空間に設けられたグランドパターン上に位置させることができる。
このとき、ＤＣカット回路が、変成器の鍔部の下端部中央の凹部に嵌め込まれた絶縁体ブロックで構成されており、グランド電極板が、絶縁体ブロックの対向面中央にそれぞれ設けられた１対の外部電極にそれぞれ接続されているので、これら１対の外部電極のみをグランドパターンに接続して接地することができる。
かかる状態で、コモンモードノイズが差動伝送路に流れ、コモンモードになると、コモンモードノイズが変成器内に流入する。そして、ノイズが１対の巻線に流入すると、鍔部下端部の両側の外部電極を通じて絶縁体ブロックの第１及び第２の電極板に流入し、グランド電極板を通じてグランドパターン側に排出される。
このとき、第１及び第２の電極板が対向するように配され、これら第１及び第２の電極板の一方端が絶縁体ブロック両端部に設けられた１対の外部電極にそれぞれ接続されているので、第１の電極板を流れるノイズ電流の向きと、第２の電極板を流れるノイズ電流の向きは、互いに逆になる。このため、第１の電極板のノイズ電流による磁界と、第２の電極板のノイズ電流による磁界とが互いに打ち消し合い、第１及び第２の電極板全体のインピーダンスが、小さくなる。この結果、変成器とＤＣカット回路とで構成されるフィルタ部品自体のコモンモードインピーダンスがさらに低くなり、コモンモードノイズの低減効果をさらに向上させる。
【発明の効果】
【０００９】
以上詳しく説明したように、この発明のフィルタ部品によれば、ＤＣカット回路のグランド電極板を基板上のグランドパターンに直接接続することができ、余分なパターンを、変成器と基板上のグランドパターンとの間に形成する必要がないので、コモンモードインピーダンスが低くなり、この結果、大きなコモンモードノイズ低減効果を発揮することができるという優れた効果がある。また、余分なパターンがないので、差動伝送路自体の特性インピーダンスを乱すことがなく、所望の特性インピーダンスを維持することができるという効果もある。
特に、請求項３の発明に係るフィルタ部品によれば、コモンモードノイズ低減効果のさらなる向上を図ることができる。
【図面の簡単な説明】
【００１０】
【図１】この発明の第１実施例に係るフィルタ部品を裏返して示す斜視図である。
【図２】第１実施例のフィルタ部品の斜視図である。
【図３】ＤＣカット回路を構成する２端子コンデンサを鍔部の凹部から取り出した状態を示す斜視図である。
【図４】２端子コンデンサの断面図である。
【図５】２端子コンデンサの嵌め込み状態を示す外観図である。
【図６】２端子コンデンサの嵌め込み状態を示す部分拡大断面図である。
【図７】フィルタ部品の電気構造を示す概略図である。
【図８】第１実施例のフィルタ部品を実装した状態を示す斜視図である。
【図９】フィルタ部品を実装したときの電気的構造を示す概略図である。
【図１０】実験に用いた変成器のコモンモード時における透過率を示す線図である。
【図１１】実験に用いた変成器のディファレンシャルモード時における透過率を示す線図である。
【図１２】実験結果であるコモンモード時の透過率を示す線図である。
【図１３】この発明の第２実施例に係るフィルタ部品を裏返して示す斜視図である。
【図１４】この実施例のフィルタ部品に適用されるＤＣカット回路のコンデンサ複合部品を示す斜視図である。
【図１５】コンデンサ複合部品の分解斜視図である。
【図１６】図１４の矢視Ａ−Ａ断面図である。
【図１７】図１４の矢視Ｂ−Ｂ断面図である。
【図１８】２端子コンデンサの嵌め込み状態を示す外観図である。
【図１９】コンデンサ複合部品の嵌め込み状態を示す部分拡大断面図である。
【図２０】この実施例のフィルタ部品を実装した状態を示す斜視図である。
【図２１】フィルタ部品を実装したときの電気的構造を示す概略図である。
【図２２】２端子コンデンサ中の電流の流れを説明するための斜視図である。
【図２３】コンデンサ複合部品中の電流の流れを説明するための斜視図である。
【図２４】２端子コンデンサの一変形例を示す断面図である。
【図２５】コンデンサ複合部品の一変形例を示す断面図である。
【図２６】コンデンサ複合部品に適用可能な外部電極の一変形例を示す斜視図である。
【図２７】コンデンサ複合部品に適用可能な外部電極の他の変形例を示す斜視図である。
【図２８】フィルタ回路を示す電気回路図である。
【図２９】従来の部品を用いたフィルタ回路構築構造を示す斜視図である。
【発明を実施するための形態】
【００１１】
以下、この発明の最良の形態について図面を参照して説明する。
【実施例１】
【００１２】
図１は、この発明の第１実施例に係るフィルタ部品を裏返して示す斜視図であり、図２は、この実施例のフィルタ部品の斜視図である。
【００１３】
図１及び図２に示すように、フィルタ部品１は、ＤＣカット回路３を変成器２に設けた構成になっている。
【００１４】
変成器２は、コモンモードインピーダンスが低く且つディファレンシャルモードインピーダンスが高くなるように構成された表面実装型の巻線コイルであり、磁性コア４と、４つの外部電極５−１〜５−４と、１対の巻線６−１，６−２と、天板７とを備えている。
磁性コア４は、Ni-Zn系フェライト等のフェライトで形成されており、中央の巻芯部４０とその両端に設けられた１対の鍔部４１，４２とを備える。
外部電極５−１，５−２（５−３，５−４）は、鍔部４１（４２）の下端部両側に形成されている。具体的には、図１に示すように、外部電極５−１，５−２が鍔部４１の脚部４１ａ，４１ｂにそれぞれ形成され、外部電極５−３，５−４が鍔部４２の脚部４２ａ，４２ｂにそれぞれ形成されている。
１対の巻線６−１，６−２は、それぞれ銅線を絶縁膜で被覆して成るラインであり、磁性コア４の巻芯部４０に巻回されている。これら巻線６−１，６−２の端部６−１ａ，６−２ｂは、外部電極５−１，５−２側に引き出されて、外部電極５−１，５−２にそれぞれ接合され、巻線６−１，６−２の端部６−１ｂ，６−２ａは、外部電極５−３，５−４側に引き出されて、外部電極５−３，５−４にそれぞれ接合されている。
また、巻線６−１，６−２は、巻芯部４０に互いに逆向きになるように巻回されている。具体的には、端部６−１ａを巻線６−１の巻き始めとして、巻線６−１を時計回りに巻芯部４０に巻き付け、端部６−１ｂを巻き終わりとした。一方、巻線６−２においては、端部６−２ａを巻線６−２の巻き始めとして、巻線６−２を時計回りに巻芯部４０に巻き付け、端部６−１ａを巻き終わりとした。これにより、巻線６−１，６−２が、一方向から見て巻芯部４０に逆向きに巻回された状態になり、コモンモード時の変成器２のインピーダンスを低くし、ディファレンシャルモード時の変成器２のインピーダンスを高くする。
天板７は、Mn-Zn系フェライト、Ni-Zn系フェライト等のフェライトで形成され、鍔部４１，４２に架けられ、接着剤７０で接合されている。
【００１５】
ＤＣカット回路３は、差動信号のＤＣ成分等を阻止するための回路であり、１対の２端子コンデンサ３−１，３−２を変成器２の鍔部４１に形成された凹部４１Ａ内に嵌め込むことで構成される。
図３は、ＤＣカット回路を構成する２端子コンデンサを鍔部の凹部から取り出した状態を変成器の裏側から示す斜視図であり、図４は、２端子コンデンサの断面図である。
図３に示すように、凹部４１Ａは、鍔部４１の下端部中央、即ち、脚部４１ａ，４１ｂの間に形成されている。
また、図４に示すように、２端子コンデンサ３−１，３−２は、チップ型の２端子コンデンサである。各２端子コンデンサ３−１（３−２）において、外部電極３１，３２がセラミックス等の絶縁体で形成されたチップ体３０の両端に設けられ、上，下で対向した内部電極３３，３４が、これら外部電極３１，３２にそれぞれ接続された状態で、チップ体３０内に包含されている。
これらの２端子コンデンサ３−１，３−２では、下方の内部電極３４，３４が接続された一方の外部電極としての外部電極３２，３２同士を、向かい合わせて接続した。そして、上方の内部電極３３，３３が接続された他方の外部電極としての外部電極３１，３１を、２端子コンデンサ３−１，３−２全体の両端に位置させた。
【００１６】
図５は、２端子コンデンサの嵌め込み状態を示す外観図であり、図６は、２端子コンデンサの嵌め込み状態を示す部分拡大断面図である。
図５に示すように、２端子コンデンサ３−１，３−２は、横向きに凹部４１Ａ内に嵌め込まれ、両端の外部電極３１，３１が外部電極５−１，５−２に接続されている。これにより、図６に示すように、２端子コンデンサ３−１における内部電極３３の一方端が外部電極３１を通じて外部電極５−１に電気的に接続され、２端子コンデンサ３−２における内部電極３３の一方端がその外部電極３１を通じて外部電極５−２に電気的に接続された状態になる。この結果、２端子コンデンサ３−１の内部電極３３がＤＣカット回路３の第１の電極板として機能し、２端子コンデンサ３−２の内部電極３３がＤＣカット回路３の第２の電極板として機能する。また、互いに接続された外部電極３２，３２に一方端がそれぞれ接続された内部電極３４，３４が、凹部４１Ａの中央に配され、これら内部電極３４，３４が、第１及び第２の電極板３３，３３のそれぞれに対向した１対のグランド電極板として機能する。
【００１７】
図７は、フィルタ部品の電気構造を示す概略図である。
上記したように、ＤＣカット回路３が変成器２に組み込まれることで、フィルタ部品１の電気的構造が、図７に示すような構造になる。すなわち、巻線６−１が外部電極５−１，５−３間に接続され、ＤＣカット回路３の２端子コンデンサ３−１が、この巻線６−１に外部電極５−１を通じて直列に接続された状態になる。また、巻線６−２が外部電極５−２，５−４間に接続され、２端子コンデンサ３−２が、この巻線６−２に外部電極５−２を通じて直列に接続された状態になる。なお、点Ｐ１，Ｐ２は、巻線６−１，６−２の巻き始め側を示している。
【００１８】
次に、この実施例のフィルタ部品が示す作用及び効果について説明する。
図８は、この実施例のフィルタ部品を実装した状態を示す斜視図であり、図９は、フィルタ部品を実装したときの電気的構造を示す概略図である。
フィルタ部品１を差動伝送路１０１，１０２に実装して、コモンモードノイズを除去するためのフィルタ回路を構成するには、図８に示すように、フィルタ部品１を差動伝送路１０１，１０２の間の空間に配し、変成器２の外部電極５−３，５−４を、パターン１０３，１０４上に位置させて接続すると共に、ＤＣカット回路３の２端子コンデンサ３−１，３−２の外部電極３２，３２を、グランドパターン１２０上に位置させて接地する。
これにより、図９に示すように、変成器２の巻線６−１が、パターン１０３を通じて差動伝送路１０１に接続され、ＤＣカット回路３の２端子コンデンサ３−１が外部電極５−１を通じて巻線６−１に直列に接続される。一方、巻線６−２も、パターン１０４を通じて差動伝送路１０２に接続され、ＤＣカット回路３の２端子コンデンサ３−２が外部電極５−２を通じて巻線６−２に直列に接続された状態になる。そして、２端子コンデンサ３−１，３−２が外部電極３２，３２を通じてグランドパターン１２０に接地され、パターン１０３，１０４とフィルタ部品１とグランドパターン１２０とでなるフィルタ回路が、差動伝送路１０１，１０２に構築された状態になる。
【００１９】
ディファレンシャルモードでは、差動信号Ｓ+，Ｓ-が差動伝送路１０１，１０２に流れ、図示しない送，受信器間で差動信号Ｓ+，Ｓ-の送受信が行われる。このとき、差動信号Ｓ+，Ｓ-がパターン１０３，１０４を伝わって変成器２側に向かっても、変成器２では、そのディファレンシャルモードインピーダンスが高くなるように構成されているので、差動信号Ｓ+，Ｓ-は、この変成器２で阻止される。
これらの差動信号Ｓ+，Ｓ-がＤＣ成分を含む場合には、この直流電流が、変成器２に流入するが、ＤＣカット回路３の２端子コンデンサ３−１，３−２によって阻止されるので、グランドパターン１２０側に流出することはない。
【００２０】
そして、コモンモードノイズＮ，Ｎが差動伝送路１０１，１０２に生じ、コモンモードになると、変成器２のコモンモードインピーダンスが低くなり、コモンモードノイズＮ，Ｎは、変成器２内を通り、ＤＣカット回路３を通じて、グランドパターン１２０に流出される。
【００２１】
このように、フィルタ部品１が、コモンモードノイズＮ，Ｎを除去することができるのは、コモンモード時において、そのインピーダンスが低くなるからである。したがって、図２９に示したように、変成器２とＤＣカット回路３との間に余分なパターンを有していると、フィルタ部品１中のコモンモードインピーダンスが高くなり、コモンモードノイズ低減効果が著しく劣化する。
しかしながら、上記したように、この実施例のフィルタ部品１では、変成器２とＤＣカット回路３との間に余分なパターンを設けることなく、直接接続した構成になっているので、フィルタ部品１自体に余分なインダクタンスがほとんど生じない。
このため、フィルタ部品１のコモンモードインピーダンスが低くなり、フィルタ部品１が良好なコモンモードノイズ低減効果を発揮する。
【００２２】
発明者等は、かかる効果を確認すべく、次のような実験を行った。
図１０は、実験に用いた変成器のコモンモード時における透過率（Ｓcc２１）を示す線図であり、図１１は、実験に用いた変成器のディファレンシャルモード時における透過率（Ｓdd２１）を示す線図であり、図１２は、実験結果であるコモンモード時の透過率を示す線図である。
この実験では、この実施例の変成器２を用いた。具体的には、図１０の透過率曲線Ｓ１に示すように、変成器２のコモンモード時の透過率（Ｓcc２１）は、周波数０ＭＨｚ〜１ＧＨｚの範囲で、ほぼ０ｄＢであり、図１１の透過率曲線Ｓ２に示すように、ディファレンシャルモード時の透過率（Ｓdd２１）は、１００ＭＨｚ〜１ＧＨｚの間で−８〜−１０ｄＢである。つまり、コモンモードインピーダンスが全範囲で低く且つディファレンシャルモードインピーダンスが１００ＭＨｚ〜１ＧＨｚの間で高くなる変成器２を用いた。
また、コンデンサとしては、容量が１０μＦの２端子コンデンサ３−１，３−２を用いた。
【００２３】
まず、変成器２と２端子コンデンサ３−１，３−２を用いた従来型のフィルタ回路を構成した。
具体的には、図２９において、変成器１１０の代わりに上記変成器２を用い、コンデンサ１２１，１２２の代わりに上記２端子コンデンサ３−１，３−２を用いた。そして、幅が１ｍｍ、長さ５ｍｍ、厚さ０．０３５ｍｍで、インダクタンスが約３ｎＨの銅箔パターンを、パターン１０５（１０６）として形成した。
そして、かかる従来型のフィルタ回路で、コモンモード時における差動伝送路１０１，１０２上の透過率、つまり、差動伝送路１０１，１０２上のコモンモードノイズがこのフィルタ回路にどの程度減衰されたかを測定したところ、図１２の透過率曲線Ｓ３に示す結果を得た。
次に、上記２端子コンデンサ３−１，３−２を変成器２の凹部４１Ａに嵌め込んだこの実施例のフィルタ部品１を用い、このフィルタ部品１を図８に示すように実装して、コモンモード時における差動伝送路１０１，１０２上の透過率を測定したところ、図１２の透過率曲線Ｓ４に示す結果を得た。
かかる結果から明らかなように、この実施例のフィルタ部品１を用いることで、周波数の１０ＭＨｚ〜１ＧＨｚの範囲で、コモンモードノイズを従来型のものよりも大きく減衰させることができる。特に、周波数１００ＭＨｚでは、この実施例のフィルタ部品１を用いた場合と従来型のものを用いた場合とで、ノイズ減衰量に約５ｄＢもの差が生じる。
【実施例２】
【００２４】
次に、この発明の第２実施例について説明する。
図１３は、この発明の第２実施例に係るフィルタ部品を裏返して示す斜視図であり、図１４は、この実施例のフィルタ部品に適用されるＤＣカット回路のコンデンサ複合部品を示す斜視図である。
この実施例は、１つのコンデンサ複合部品でＤＣカット回路を構成した点が、上記第１実施例と異なる。
すなわち、図１３に示すように、１つのコンデンサ複合部品８を変成器２の凹部４１Ａ内に嵌め込むことで、ＤＣカット回路３′を構成した。
このコンデンサ複合部品８は、図１４に示すように、セラミック等の絶縁体ブロック８０と、第１の電極板としての内部電極８１と、第２の電極板としての内部電極８２と、グランド電極板としての内部電極８３と、絶縁体ブロック８０両端の外部電極８４，８５と、絶縁体ブロック８０の対向面中央にそれぞれ設けられた外部電極８６，８７とを備えている。
【００２５】
図１５は、コンデンサ複合部品の分解斜視図であり、図１６は、図１４の矢視Ａ−Ａ断面図であり、図１７は、図１４の矢視Ｂ−Ｂ断面図である。
コンデンサ複合部品８は、図１５に示すように、積層型の部品である。
すなわち、絶縁体ブロック８０を複数の絶縁層８０Ａ〜８０Ｄで構成し、内部電極８２を最下層の絶縁層８０Ａ上に形成した後、絶縁層８０Ｂを内部電極８２上に積層し、内部電極８３をこの絶縁層８０Ｂ上に形成した。このとき、内部電極８３の両端８３ａ，８３ｂを通る方向が、内部電極８２の両端８２ａ，８２ｂを通る方向と垂直になるように、内部電極８３を形成した。しかる後、絶縁層８０Ｃを内部電極８３上に積層して、内部電極８１を、下の内部電極８２と対向するように、絶縁層８０Ｃ上に形成した。これにより、内部電極８３が、内部電極８１，８２間に介在した状態になる。そして、最上層の絶縁層８０Ｄを内部電極８１上に積層して、外部電極８４，８５を絶縁体ブロック８０の両端に形成した。このとき、図１６にも示すように、外部電極８４を内部電極８１の一方端８１ａに接続すると共に、外部電極８５を内部電極８２の一方端８２ａに接続した。そして、図１７に示すように、１対の外部電極８６，８７を絶縁体ブロック８０の対向する面８０ａ，８０ｂに形成すると共に、絶縁体ブロック８０の下面８０ｃに形成した接触部８８で外部電極８６，８７を連結した。また、内部電極８３の両端８３ａ，８３ｂをこれら外部電極８６，８７にそれぞれ接続した。
【００２６】
図１８は、２端子コンデンサの嵌め込み状態を示す外観図であり、図１９は、コンデンサ複合部品の嵌め込み状態を示す部分拡大断面図である。
図１８に示すように、接触部８８を下向きにして、コンデンサ複合部品８を凹部４１Ａ内に嵌め込むことで、両端の外部電極８４，８５を外部電極５−１，５−２に接続することができる。これにより、図１９に示すように、内部電極８１の一方端８１ａが外部電極８４を通じて外部電極５−１に電気的に接続され、内部電極８２の一方端８２ａ外部電極８５を通じて外部電極５−２に電気的に接続された状態になり、ＤＣカット回路３′が、内部電極８１，８３とによるコンデンサと内部電極８２，８３とによるコンデンサとを含む構造となる。
【００２７】
次に、この実施例のフィルタ部品が示す作用及び効果について説明する。
図２０は、この実施例のフィルタ部品を実装した状態を示す斜視図であり、図２１は、フィルタ部品を実装したときの電気的構造を示す概略図である。
この実施例のフィルタ部品も、図２０に示すように、変成器２の外部電極５−３，５−４をパターン１０３，１０４に接続すると共に、ＤＣカット回路３′のコンデンサ複合部品８をグランドパターン１２０上に位置させて、コンデンサ複合部品８の外部電極８６，８７を連結する接触部８８をグランドパターン１２０上に接続することができる。
これにより、図２１に示すように、変成器２の巻線６−１，６−２が、差動伝送路１０１，１０２に接続され、コンデンサ複合部品８の外部電極８４，８５が外部電極５−１，５−２を通じて巻線６−１，６−２に直列に接続される。そして、内部電極８１，８２に共通の内部電極８３が外部電極８６，８７と接触部８８を通じてグランドパターン１２０に接地される。
【００２８】
かかる状態で、コモンモードになり、コモンモードノイズＮ，Ｎが差動伝送路１０１，１０２に生じると、変成器２のコモンモードインピーダンスが低くなり、コモンモードノイズＮ，Ｎが、変成器２内を通る。そして、コモンモードノイズＮ，Ｎは、コンデンサ複合部品８の外部電極８４，８５から内部電極８１，８２に至り、内部電極８３から外部電極８６，８７及び接触部８８を通じて、グランドパターン１２０に流出する。
【００２９】
ここで、この実施例のコモンモード時におけるコンデンサ複合部品中の電流の流れを、上記第１実施例のコモンモード時における２端子コンデンサ中の電流の流れと比較して説明する。
図２２は、第１実施例で適用された２端子コンデンサ中の電流の流れを説明するための斜視図であり、図２３は、この実施例で適用されたコンデンサ複合部品中の電流の流れを説明するための斜視図である。
図２２に示すように、第１実施例の２端子コンデンサ３−１では、コモンモード時における電流Ｉが、外部電極３１から内部電極３３の長さ方向（３３ａから３３ｂ方向）に流れると、下側の内部電極３４では、電流Ｉが外部電極３２に向かって内部電極３４の長さ方向（３４ｂから３４ａ方向）に流れる。したがって、内部電極３３，３４をそれぞれ流れる電流Ｉ，Ｉは同方向であり、これらの電流Ｉによる磁界Ｈは、互いに強め合う。このため、コモンモード時の各内部電極３３（３４）のインダクタンスを「Ｌ／２」とすると、内部電極３３，３４全体のインダクタンスは、「Ｌ」よりも大きくなる。２端子コンデンサ３−２においても同様であるため、第１実施例のおけるＤＣカット回路では、そのインダクタンスが「Ｌ／２」より大きくなる。
これに対して、この実施例のコンデンサ複合部品８では、図２３に示すように、コモンモード時における内部電極８１の電流Ｉは、外部電極８４から内部電極８１の長さ方向（８１ａから８１ｂ方向）に流れ、内部電極８２の電流Ｉは、外部電極８５から内部電極８２の長さ方向（８２ａから８２ｂ方向）に流れる。したがって、内部電極８１，８２をそれぞれ流れる電流Ｉ，Ｉは逆方向であり、これらの電流Ｉによる磁界Ｈは、逆向きとなって、互いに弱め合う。このとき、各内部電極８１（８２）の長さが、上記各内部電極３３（３４）の長さの約２倍あることに鑑み、この各内部電極８１（８２）のコモンモード時におけるインダクタンスを「Ｌ」とすると、上記の如く、内部電極８１，８２の電流Ｉ，Ｉによる磁界Ｈ，Ｈが、逆向きとなって、互いに弱め合うので、内部電極８１，８２全体のインダクタンスは、「Ｌ／２」よりも小さくなる。したがって、この実施例のＤＣカット回路では、そのインダクタンスが「Ｌ／２」よりも小さくなる。
このように、この実施例のフィルタ部品では、ＤＣカット回路のコモンモードインピーダンスが、第１実施例のＤＣカット回路のコモンモードインピーダンスよりも低くなり、コモンモードノイズ低減効果がさらに向上する。
その他の構成、作用及び効果は、上記第１実施例と同様であるので、その記載は省略する。
【００３０】
なお、この発明は、上記実施例に限定されるものではなく、発明の要旨の範囲内において種々の変形や変更が可能である。
例えば、上記第１実施例では、図４に示したように、１対の内部電極３３，３４のみを有した２端子コンデンサ３−１（３−２）を例示したが、２端子コンデンサの構造は、これに限定されるものではなく、図２４に示すように、複数対の内部電極３３，３４を有した２端子コンデンサ３−１（３−２）を用いたフィルタ部品もこの発明の範囲に含まれることは勿論である。
同様に、上記第２実施例において、図１６で示したように、１組の内部電極８１，８２，８３のみを有したコンデンサ複合部品８を例示したが、コンデンサ複合部品の構造は、これに限定されるものではなく、図２５に示すように、複数組の内部電極８１，８２，８３を有したコンデンサ複合部品を用いたフィルタ部品８もこの発明の範囲に含まれる。
【００３１】
また、上記第１実施例では、外部電極３２，３２同士を電気的に接続させた２端子コンデンサ３−１，３−２を例示したが、外部電極３２，３２同士は互いに向き合っていれば良く、外部電極３２，３２同士を電気的に接続することは、必須要件でない。
【００３２】
また、上記第２実施例では、図１５に示したように、１対の外部電極８６，８７を接触部８８で連結した例を示したが、外部電極８６，８７は、連結されていることは必須ではなく、例えば、図２６に示すように、上下端を折り曲げてコ字状にした１対の外部電極８６，８７を適用しても良い。
また、図２７に示すように、上下を接触部８８，８８′で連結した１対の外部電極８６，８７を適用することもできる。
【符号の説明】
【００３３】
１…フィルタ部品、  ２…変成器、  ３，３′…ＤＣカット回路、  ３−１，３−２…２端子コンデンサ、  ４…磁性コア、  ５−１〜５−４…外部電極、  ６−１，６−２…巻線、  ７…天板、  ８…コンデンサ複合部品、  ３０…チップ体、  ３１，３２，８４，８５，８６，８７…外部電極、  ３３，３４，８１，８２，８３…内部電極、  ４０…巻芯部、  ４１，４２…鍔部、  ４１Ａ…凹部、  ４１ａ，４１ｂ，４２ａ，４２ｂ…脚部、  ８０…絶縁体ブロック、  ８０Ａ〜８０Ｄ…絶縁層、  ８０ａ，８０ｂ…対向面、  ８０ｃ…下面、  ８１ａ，８１ｂ，８２ａ，８２ｂ，８３ａ，８３ｂ…両端、  ８８…接触部、  １０１，１０２…差動伝送路、  １０３，１０４，１０５，１０６…パターン、  １２０…グランドパターン。
【図１】
2011049622.tif 000003
【図２】
2011049622.tif 000004
【図３】
2011049622.tif 000005
【図４】
2011049622.tif 000006
【図５】
2011049622.tif 000007
【図６】
2011049622.tif 000008
【図７】
2011049622.tif 000009
【図８】
2011049622.tif 000010
【図９】
2011049622.tif 000011
【図１０】
2011049622.tif 000012
【図１１】
2011049622.tif 000013
【図１２】
2011049622.tif 000014
【図１３】
2011049622.tif 000015
【図１４】
2011049622.tif 000016
【図１５】
2011049622.tif 000017
【図１６】
2011049622.tif 000018
【図１７】
2011049622.tif 000019
【図１８】
2011049622.tif 000020
【図１９】
2011049622.tif 000021
【図２０】
2011049622.tif 000022
【図２１】
2011049622.tif 000023
【図２２】
2011049622.tif 000024
【図２３】
2011049622.tif 000025
【図２４】
2011049622.tif 000026
【図２５】
2011049622.tif 000027
【図２６】
2011049622.tif 000028
【図２７】
2011049622.tif 000029
【図２８】
2011049622.tif 000030
【図２９】
2011049622.tif 000031